(57)【特許請求の範囲】
【請求項１】
光源と、前記光源からの光を内部において導くとともに複数の光反射面での反射によって前記光を照明光として外部へ射出する導光板と、前記導光板からの照明光を画像信号に応じ変調して画像光を形成する画像表示素子とを有する画像光形成装置と、
前記画像表示素子で変調された前記画像光を内部に導くとともに、所定方向に延びる複数の画像光反射面を有し、当該複数の画像光反射面により前記画像光を反射して光射出部から虚像光として射出する映像導光板と、
を備える虚像表示装置であって、
前記画像光形成装置において、前記複数の光反射面は、前記映像導光板の前記複数の画像光反射面の繰返し配列方向に対応する基準方向の位置に応じて反射効率を変化させ、
前記画像光形成装置は前記映像導光板側で形成される前記画像光の輝度ムラ・映像ムラを抑制する虚像表示装置。
【請求項２】
前記画像光形成装置の前記導光板は、前記基準方向について前記複数の光反射面の密度を変化させている、請求項１記載の虚像表示装置。
【請求項３】
光源と、前記光源からの光を内部において導くとともに照明光として外部へ射出する導光板と、前記導光板からの照明光の光量を調整する減光フィルターと、前記照明光を画像信号に応じ変調して画像光を形成する画像表示素子とを有する画像光形成装置と、
前記画像表示素子で変調された前記画像光を内部に導くとともに、所定方向に延びる複数の画像光反射面を有し、当該複数の画像光反射面により前記画像光を反射して光射出部から虚像光として射出する映像導光板と、
を備える虚像表示装置であって、
前記画像光形成装置において、前記減光フィルターは、前記映像導光板の前記複数の画像光反射面の繰返し配列方向に対応する基準方向の位置に応じて減光量を変化させ、
前記画像光形成装置は前記映像導光板側で形成される前記画像光の輝度ムラ・映像ムラを抑制する虚像表示装置。
【請求項４】
前記画像光形成装置の前記導光板は、内部において光を導くバックライト導光部と、前記バックライト導光部に導かれた光を反射して照明光とする複数の光反射面とを有する、請求項３記載の虚像表示装置。
【請求項５】
照明光を射出する面光源と、前記面光源からの照明光を画像信号に応じ変調して画像光を形成する画像表示素子とを有する画像光形成装置と、
前記画像表示素子で変調された前記画像光を内部に導くとともに、所定方向に延びる複数の画像光反射面を有し、当該複数の画像光反射面により前記画像光を反射して光射出部から虚像光として射出する映像導光板と、
を備える虚像表示装置であって、
前記画像光形成装置において、前記面光源は、前記映像導光板の前記複数の画像光反射面の繰返し配列方向に対応する基準方向の位置に応じて照明光輝度を変化させ、
前記画像光形成装置は前記映像導光板側で形成される前記画像光の輝度ムラ・映像ムラを抑制する虚像表示装置。
【請求項６】
前記複数の画像光反射面は、入射光の少なくとも一部を透過させる複数の部分反射面であり、前記映像導光板は、前記複数の画像光反射面において前記画像光の少なくとも一部を複数回通過させる、請求項１から請求項５までのいずれか一項に記載の虚像表示装置。
【請求項７】
前記画像光形成装置は、前記映像導光板を前記繰返し配列方向に関して分割した複数の部分領域を単位として、前記複数の画像光反射面における前記画像光の通過回数に応じて、前記照明光の光量を前記基準方向に関して段階的に変化させる、請求項６に記載の虚像表示装置。
【請求項８】
前記複数の光反射面は、前記基準方向に垂直な方向を長手方向として延びる、請求項１及び請求項２のいずれか一項に記載の虚像表示装置。
【請求項９】
前記映像導光板は、外光を透過し、かつ、前記画像光を観察者の眼に投射可能なシースルー型である、請求項１から請求項８までのいずれか一項に記載の虚像表示装置。
【発明の詳細な説明】
【技術分野】
【０００１】
本発明は、頭部に装着して使用するヘッドマウントディスプレイ等の虚像表示装置に関する。
【背景技術】
【０００２】
近年、ヘッドマウントディスプレイのように虚像の形成及び観察を可能にする虚像表示装置として、導光板によって表示素子からの映像光を観察者の瞳に導くタイプのものが種々提案されている（例えば特許文献１、２参照）。このような虚像表示装置の画像用の導光板において、映像光の一部は、複数の部分反射面を複数回通過した後に眼の方向に取り出される。このため、部分反射面の通過回数の違いにより映像光に輝度ムラ・映像ムラが発生しやすく、これを抑制するために、複数の部分反射面間での反射率や相対的距離を相対的に調整する工夫がなされている（特許文献１参照）。
【先行技術文献】
【特許文献】
【０００３】
【特許文献１】特表２００３−５３６１０２号公報
【特許文献２】特開２００４−１５７５２０号公報
【発明の概要】
【発明が解決しようとする課題】
【０００４】
しかしながら、例えば上記特許文献１，２の虚像表示装置の場合、部分反射面間で反射率や相対的距離の精密な調整が必要となるため、映像光等である画像光の輝度ムラ・映像ムラを抑制することは容易でない。
【０００５】
そこで、本発明は、比較的簡易に画像光の輝度ムラ・映像ムラを抑制することのできる虚像表示装置を提供することを目的とする。
【課題を解決するための手段】
【０００６】
上記課題を解決するため、本発明に係る第１の虚像表示装置は、（ａ１）光源と、（ａ２）光源からの光を内部において導くとともに複数の光反射面での反射によって上記光を照明光として外部へ射出する導光板と、（ａ３）導光板からの照明光を画像信号に応じ変調して画像光を形成する画像表示素子とを有する（ａ）画像光形成装置と、（ｂ）画像表示素子で変調された画像光を内部に導くとともに、所定方向に延びる複数の画像光反射面を有し、当該複数の画像光反射面により画像光を反射して光射出部から虚像光として射出する映像導光板と、を備える虚像表示装置であって、（ｃ）画像光形成装置において、複数の光反射面が、映像導光板の複数の画像光反射面の繰返し配列方向に対応する基準方向の位置に応じて反射効率を変化させている。
【０００７】
上記虚像表示装置では、画像光形成装置の複数の光反射面が基準方向の位置に応じて反射効率を変化させているので、画像光形成装置において、映像導光板側で形成される画像光の輝度ムラ・映像ムラを補償するような画像光形成装置用の照明光の形成が可能となり、比較的簡易に画像光の輝度ムラ・映像ムラを抑制することができる。
【０００８】
本発明の具体的な側面では、画像光形成装置の導光板が、基準方向について複数の光反射面の密度を変化させている。この場合、複数の光反射面での反射光量の調整により、画像光の輝度ムラ・映像ムラを考慮した照明光の形成が可能となる。ここで、複数の光反射面の密度とは、各光反射面の間隔や大きさ等を言い、光反射面の密度を変化させることで、画像光形成装置の導光板による照明光の輝度を基準方向について適宜調整することができる。
【０００９】
上記課題を解決するため、本発明に係る第２の虚像表示装置は、（ａ１）光源と、（ａ２）光源からの光を内部において導くとともに照明光として外部へ射出する導光板と、（ａ３）導光板からの照明光の光量を調整する減光フィルターと、（ａ４）照明光を画像信号に応じ変調して画像光を形成する画像表示素子とを有する（ａ）画像光形成装置と、（ｂ）画像表示素子で変調された画像光を内部に導くとともに、所定方向に延びる複数の画像光反射面を有し、当該複数の画像光反射面により画像光を反射して光射出部から虚像光として射出する映像導光板と、を備える虚像表示装置であって、（ｃ）画像光形成装置において、減光フィルターが、映像導光板の複数の画像光反射面の繰返し配列方向に対応する基準方向の位置に応じて減光量を変化させている。
【００１０】
上記虚像表示装置では、画像光形成装置の減光フィルターが基準方向の位置に応じて減光量を変化させているので、画像光形成装置において、映像導光板側で形成される画像光の輝度ムラ・映像ムラを補償するような画像光形成装置用の照明光の形成が可能となり、比較的簡易に画像光の輝度ムラ・映像ムラを抑制することができる。
【００１１】
本発明の具体的な側面では、画像光形成装置の導光板が、内部において光を導くバックライト導光部と、バックライト導光部に導かれた光を反射して照明光とする複数の光反射面とを有する。この場合、減光フィルターに加え、複数の光反射面によっても照明光の調整が可能となる。
【００１２】
上記課題を解決するため、本発明に係る第３の虚像表示装置は、（ａ１）照明光を射出する面光源と、（ａ２）面光源からの照明光を画像信号に応じ変調して画像光を形成する画像表示素子とを有する（ａ）画像光形成装置と、（ｂ）画像表示素子で変調された画像光を内部に導くとともに、所定方向に延びる複数の画像光反射面を有し、当該複数の画像光反射面により画像光を反射して光射出部から虚像光として射出する映像導光板と、を備える虚像表示装置であって、（ｃ）画像光形成装置において、面光源が、映像導光板の複数の画像光反射面の繰返し配列方向に対応する基準方向の位置に応じて照明光輝度を変化させる。
【００１３】
上記虚像表示装置では、画像光形成装置の面光源が基準方向の位置に応じて照明光輝度を変化させるので、画像光形成装置において、映像導光板側で形成される画像光の輝度ムラ・映像ムラを補償するような画像光形成装置用の照明光の形成が可能となり、比較的簡易に画像光の輝度ムラ・映像ムラを抑制することができる。
【００１４】
本発明のさらに別の側面では、複数の画像光反射面が、入射光の少なくとも一部を透過させる複数の部分反射面であり、映像導光板が、複数の画像光反射面において画像光の少なくとも一部を複数回通過させる。この場合、映像導光板を伝播する画像光について、全反射の角度に起因して画像光を構成する特定成分を複数の画像光反射面において複数回反射させることになる場合であっても、画像光の各成分を所望の位置から観察者に対して射出させることができる。
【００１５】
本発明のさらに別の側面では、画像光形成装置が、映像導光板を繰返し配列方向に関して分割した部分領域を単位として、複数の画像光反射面における画像光の通過回数に応じて、基準方向について照明光の光量を段階的に変化させる。この場合、比較的簡易に照明光の光量の調整ができる。
【００１６】
本発明のさらに別の側面では、画像形成装置の複数の光反射面が、基準方向に垂直な方向を長手方向として延びる。この場合、複数の光反射面を簡易な構造にでき、また、光反射面の長手方向に関して画像表示装置を一様に照明することができる。
【００１７】
本発明のさらに別の側面では、映像導光板が、外光を透過し、かつ、画像光を観察者の眼に投射可能なシースルー型である。この場合、観察者に外界像を観察させることができる。
【図面の簡単な説明】
【００１８】
【図１】（Ａ）は、第１実施形態に係る虚像表示装置を示す断面図であり、（Ｂ）及び（Ｃ）は、導光板の正面図及び平面図である。
【図２】（Ａ）は、画像光形成装置について説明するため、その一部を拡大した模式的な図であり、（Ｂ）は、画像光形成装置の斜視図である。
【図３】（Ａ）、（Ｂ）は、画像取出部の構造及び画像取出部における画像光の光路について説明するための模式的な図である。
【図４】照明光と画像光との関係を示すための図である。
【図５】（Ａ）、（Ｂ）は、画像光形成装置の変形例について説明するための図である。
【図６】（Ａ）及び（Ｂ）は、第２実施形態に係る虚像表示装置における画像光形成装置の概念図及び斜視図であり、（Ｃ）は、変形例における画像光形成装置の概念図であり、（Ｄ）は、別の変形例における画像光形成装置の概念図である。
【図７】第３実施形態に係る虚像表示装置における画像光形成装置の概念図である。
【図８】画像光形成装置の他の一例を説明するための模式的な一部拡大図である。
【発明を実施するための形態】
【００１９】
〔第１実施形態〕
以下、本発明の第１実施形態に係る虚像表示装置について説明する。
【００２０】
〔Ａ．虚像表示装置の構造〕
図１（Ａ）に示す本実施形態に係る虚像表示装置１００は、ヘッドマウントディスプレイに適用されるものであり、画像光形成装置１０と、映像導光板２０とを一組として備える。なお、図１（Ａ）は、図１（Ｂ）に示す映像導光板２０のＡ−Ａ断面と対応する。
【００２１】
虚像表示装置１００は、観察者に虚像による画像光を認識させるとともに、観察者に外界像をシースルーで観察させるものである。虚像表示装置１００において、画像光形成装置１０と映像導光板２０とは、通常観察者の右眼および左眼に対応して一組ずつ設けられるが、右眼用と左眼用とでは左右対称であるので、ここでは右眼用のみを示し、左眼用については図示を省略している。なお、虚像表示装置１００は、全体としては、例えば一般の眼鏡のような外観（不図示）を有するものとなっている。
【００２２】
画像光形成装置１０は、照明部１５と、画像表示素子である液晶デバイス１１と、コリメートレンズ１２とを備える（図中一部拡大図参照。）。
【００２３】
照明部１５は、液晶デバイス１１の形状に応じた２次元的な広がりを有する照明光を形成する。液晶デバイス１１は、詳しい図示は省略するが、入射側偏光板及び射出側偏光板と、これらの間に配置される液晶パネルとを備え、照明部１５からの照明光を画像信号に応じ空間的に変調して、動画像等の表示対象となるべき画像光を形成する。コリメートレンズ１２は、液晶デバイス１１上の各点から射出された画像光を平行状態の光束にする。なお、コリメートレンズ１２のレンズ材料は、ガラスやプラスチックのいずれとすることもできる。
【００２４】
以下、図２（Ａ）及び２（Ｂ）を用いて、画像光形成装置１０のうち、照明部１５の構造等について説明する。図示のように、照明部１５は、赤、緑、青の３色を含む光ＳＬを発生する光源１５ａと、光源１５ａからの光ＳＬを拡散させて矩形断面の光束にする画像光形成装置１０の導光板であるバックライト導光板１５ｂとを備える。
【００２５】
光源１５ａは、矩形板状のバックライト導光板１５ｂの一側面である光取込面ＩＰに沿って延びており、液晶デバイス１１を照明するのに十分な光量の光を発生するとともに、これをバックライト導光板１５ｂに向けて射出する。光源１５ａとしては、例えば細長い蛍光管や複数のＬＥＤ光源を配列するもの等が適用できる。
【００２６】
バックライト導光板１５ｂは、アクリル樹脂等の透光性の樹脂材料からなり全体として平板状の部材であり、液晶デバイス１１の背後に近接してこれに平行に配設されている。バックライト導光板１５ｂは、光源１５ａからの光ＳＬを光取込面ＩＰを介して内部に入射させ、入射した光を全反射により拡散するように導き、光射出面ＥＰを介して外部の液晶デバイス１１に向けて射出させることで、液晶デバイス１１全体を背後から照明する照明光を形成する。
【００２７】
バックライト導光板１５ｂは、本体部であるバックライト導光部１５ｋと、光取出し用の照明光反射部１５ｃとを有している。バックライト導光部１５ｋは、互いに対向してＹＺ面上に平行に延びる一対の側面ＳＦ１，ＳＦ２を有しており、一端の光取込面ＩＰから入射させた光を両側面ＳＦ１，ＳＦ２の導光部１５ｋ内側で全反射によって伝搬させる。照明光反射部１５ｃは、バックライト導光部１５ｋの側面ＳＦ１，ＳＦ２のうち液晶デバイス１１の反対側の側面ＳＦ１に沿って形成されている。照明光反射部１５ｃは、多数の光反射面である多数の照明光反射面１５ｄによって構成され、これらの照明光反射面１５ｄは、Ｚ方向に垂直なＹ方向にそれぞれ帯状に延びるとともにＺ方向に配列されている。ここで、バックライト導光板１５ｂにおいて、光取込面ＩＰに垂直で多数の照明光反射面１５ｄが配列されるＺ方向即ち画像光形成装置１０の光軸ＸＡに沿った方向を基準方向とする。各照明光反射面１５ｄは、Ｖ字又は楔文字型の溝の斜面ＲＲ上に例えばアルミ蒸着等によって反射膜ＲＭを設けることによって形成されている。なお、これらの照明光反射面１５ｄは、本実施形態の場合、同一形状を有し同一反射率であるものとする。各照明光反射面１５ｄは、バックライト導光部１５ｋ内部に導かれて全体として基準方向に進む光を光射出面ＥＰに向けるように反射する。この結果、光射出面ＥＰの略全面から照明光ＰＬが射出される。より具体的に説明すると、バックライト導光部１５ｋ内部に導かれた光の一部は、照明光反射部１５ｃのうち光取込面ＩＰに近い側に位置する照明光反射面１５ｄで反射され、照明光ＰＬ１として射出される。また、バックライト導光板１５ｂ内部に導かれた光の他の一部は、照明光反射部１５ｃのうち中央側や光取込面ＩＰから遠い側に位置する照明光反射面１５ｄから照明光ＰＬ２，ＰＬ３として射出される。これらの照明光ＰＬ１，ＰＬ２，ＰＬ３が全体として照明光ＰＬを形成している。
【００２８】
ここで、多数の照明光反射面１５ｄは、基準方向即ち配列方向について密度が変えられている。つまり、隣接する一対の各照明光反射面１５ｄ間の間隔は一定ではない。この場合、バックライト導光板１５ｂから射出される照明光ＰＬの反射効率は、液晶デバイス１１に平行な光束断面について一様ではなくなり、多数の照明光反射面１５ｄの配列密度に応じて差異が生じる。言い換えると、多数の照明光反射面１５ｄの配列を調整することで、照明光ＰＬ１，ＰＬ２，ＰＬ３の光量や輝度が適宜調整されている。図２（Ａ）及び２（Ｂ）の場合、多数の照明光反射面１５ｄの配列は、＋Ｚ側に行くに従って間隔が狭くなるようなものとなっている。従って、＋Ｚ側ほど反射される光が多くなり、照明光は、＋Ｚ側において光量あるいは輝度が相対的に大きな状態で射出するものとなっている。なお、各照明光反射面１５ｄは、基準方向に垂直なＹ方向については、帯状に延びる比較的簡易な構造を有し、光を一様な状態で反射する。
【００２９】
以上のように、バックライト導光板１５ｂは、照明光を、光射出面ＥＰから液晶デバイス１１に向けて基準方向の位置に応じて異なる状態で射出する。液晶デバイス１１に入射した照明光は、既述のように空間的に変調され、表示対象となるべき画像光となって射出される。この画像光は、照明光の光量や輝度の分布を反映したものとなる。
【００３０】
以下、図１（Ａ）〜１（Ｃ）に戻って、液晶デバイス１１の光路後段に配置される映像導光板２０について説明する。映像導光板２０は、導光板本体部２０ａと、入射光折曲部２１と、画像取出部２３とを備える。映像導光板２０は、画像光形成装置１０で形成された画像光を虚像光として観察者の眼ＥＹに向けて射出し、画像として認識させるものである。
【００３１】
映像導光板２０の全体的な外観は、図中ＹＺ面に平行に延びる平板である導光板本体部２０ａによって形成されている。また、映像導光板２０は、長手方向の一端に導光板本体部２０ａに埋め込まれた多数の微小ミラーによって構成される画像取出部２３を有し、長手方向の他端に導光板本体部２０ａの一部を切欠いて形成された入射光折曲部２１を有する構造となっている。
【００３２】
導光板本体部２０ａは、透光性の樹脂材料等により形成され、ＹＺ面に平行で画像光形成装置１０に対向する表側の平面上に、画像光形成装置１０からの画像光を取り込む光入射部である光入射面ＩＳと、画像光を観察者の眼ＥＹに向けて射出させる光射出部である光射出面ＯＳとを有している。導光板本体部２０ａは、光入射面ＩＳの裏側において平行平板状の一部を切欠くように形成され光入射面ＩＳに対して傾斜する矩形の斜面ＲＳを有し、当該斜面ＲＳ上には、これを被覆するようにミラー層２１ａが形成されている。ここで、ミラー層２１ａは、斜面ＲＳと協働することにより、入射光折曲部２１として機能する。また、導光板本体部２０ａにおいて、光射出面ＯＳの裏側の平面に沿って微細構造である画像取出部２３が形成されている。
【００３３】
導光板本体部２０ａの光入射面ＩＳに対向して配置される入射光折曲部２１は、導光板本体部２０ａの上記斜面ＲＳ上にアルミ蒸着等の成膜を施すことにより形成され、入射光を反射し光路を略直交方向に近い所定方向に折り曲げるための反射面として機能する。つまり、入射光折曲部２１は、光入射面ＩＳから入射し全体として−Ｘ方向に向かう画像光を、全体として略＋Ｚ方向に近い所定方向に向かわせるように折り曲げることで、画像光を導光板本体部２０ａ内に確実に結合させる。
【００３４】
また、導光板本体部２０ａは、入口側の入射光折曲部２１から奥側の画像取出部２３にかけて、入射光折曲部２１を介して内部に入射させた画像光を画像取出部２３に導くための導光部２２を有している。
【００３５】
導光部２２は、平板上の導光板本体部２０ａの主面であり互いに対向しＹＺ面に対して平行に延びる２平面として、入射光折曲部２１で折り曲げられた画像光をそれぞれ全反射させる第１の全反射面２２ａと第２の全反射面２２ｂとを有している。ここでは、第１の全反射面２２ａが画像光形成装置１０から遠い裏側にあるものとし、第２の全反射面２２ｂが画像光形成装置１０に近い表側にあるものとする。この場合、第２の全反射面２２ｂは、光入射面ＩＳ及び光射出面ＯＳと共通の面部分となっている。入射光折曲部２１で反射された画像光は、まず、第２の全反射面２２ｂに入射し、全反射される。次に、当該画像光は、第１の全反射面２２ａに入射し、全反射される。以下この動作が繰り返されることで、画像光は、映像導光板２０の奥側即ち画像取出部２３を設けた＋Ｚ側に導かれる。
【００３６】
導光板本体部２０ａの光射出面ＯＳに対向して配置される画像取出部２３は、導光部２２の奥側（＋Ｚ側）において、第１の全反射面２２ａの延長平面に沿ってこの延長平面に近接して形成されている。画像取出部２３は、導光部２２の第１及び第２の全反射面２２ａ，２２ｂを経て入射してきた画像光を、所定角度で反射して光射出面ＯＳ側へ折り曲げる。ここでは、画像取出部２３において反射される画像光のうち、光射出面ＯＳから観察者の眼ＥＹに向かう特定の位置・角度にある画像光が虚像光としての取出し対象であるものとする。画像取出部２３の詳しい構造については、図３（Ａ）等により後述する。
【００３７】
なお、導光板本体部２０ａに用いる透光性樹脂材料の屈折率ｎは、１．５以上の高屈折率材料であるものとする。映像導光板２０に比較的屈折率の高い透光性樹脂材料を用いることで、映像導光板２０内部で画像光を導光させやすくなり、かつ、映像導光板２０内部での画像光の画角を比較的小さくすることができる。
【００３８】
映像導光板２０が以上のような構造を有することから、画像光形成装置１０から射出され光入射面ＩＳから映像導光板２０に入射した画像光は、入射光折曲部２１で一様に反射されて折り曲げられ、導光部２２の第１及び第２の全反射面２２ａ，２２ｂにおいて繰り返し全反射されて光軸ＯＡに略沿って一定の広がりを有する状態で進み、さらに、画像取出部２３において適度な角度で折り曲げられることで取出し可能な状態となり、最終的に光射出面ＯＳから射出される。光射出面ＯＳから射出された画像光は、虚像光として観察者の眼ＥＹに入射する。当該虚像光が観察者の網膜において結像することで、観察者は虚像による映像光等の画像光を認識することができる。
【００３９】
〔Ｂ．画像取出部の構造及び画像光の光路〕
以下、画像取出部２３の詳しい構造について説明する。図３（Ａ）等に示すように、画像取出部２３は、多数の画像光反射面２３ａを所定のピッチで導光部２２の延びる方向即ちＺ方向に多数配列させることで構成されている。多数の画像光反射面２３ａは、画像光反射面２３ａの配列されるＺ方向に対して垂直に延びる方向即ちＹ方向を所定方向ＡＷ（図１（Ｂ）参照）とし、これを面の長手方向として、帯状に延びている。多数の画像光反射面２３ａは、互いに平行であり、第１の全反射面２２ａに対して同一の角度αをそれぞれなしている。画像光反射面２３ａは、反射率の調整により、画像光の光成分の一部を透過させ、残りを反射させる部分反射面となっている。なお、各画像光反射面２３ａ間は、画像光を取り出すための反射面等としての機能を有しない境界部２３ｂによって繋がれている。結果的に、画像光反射面２３ａは、分離した状態で光軸ＯＡに沿って即ちＺ方向に沿って周期的に繰り返して配列され互いに平行に延びている。ここでは、この多数の画像光反射面２３ａが周期的に繰り返して配列される方向を繰返し配列方向と呼ぶ。画像光形成装置１０の基準方向は、この繰返し配列方向に対応するように定められている。なお、画像光反射面２３ａは、例えば下地のＶ溝の一方の斜面にアルミ蒸着等の成膜を施すことにより形成され、その後の樹脂の充填によって映像導光板２０内に埋め込まれる。
【００４０】
以下、図３（Ａ）及び３（Ｂ）により、画像光の光路について詳しく説明する。ここでは、画像光の各成分のうち、画像取出部２３の両端側に入射する画像光ＧＬａ及び画像光ＧＬｂについて示し、他の光路の成分については、これらと同様であるので図示等を省略する。前提として、画像光ＧＬａ，ＧＬｂを含む画像光は、図１（Ａ）、１（Ｂ）等に示す映像導光板２０に光入射面ＩＳから入射し、入射光折曲部２１で反射され、全体として、導光部２２において＋Ｚ方向に進む。また、画像光ＧＬａは、画像光形成装置１０の＋Ｚ側から光入射面ＩＳに向かって射出される、つまり、図２（Ａ）の照明光ＰＬ１から形成される成分である。一方、画像光ＧＬｂは、画像光形成装置１０の−Ｚ側から光入射面ＩＳに向かって射出される、つまり、図２（Ａ）の照明光ＰＬ３から形成される成分である。  
【００４１】
まず、図３（Ａ）に示すように、最小反射角θ−で導光部２２の第１及び第２の全反射面２２ａ，２２ｂで全反射される画像光ＧＬａは、画像取出部２３をＮ回（Ｎは１より大きい自然数）通過した後、観察者の眼ＥＹに入射できる位置である画像取出部２３のうち最も奥側（＋Ｚ側）の周辺部２３ｈに達し、周辺部２３ｈでの反射により、眼ＥＹの中心軸ＡＸに対して角度γ２で光射出面ＯＳから眼ＥＹに向けて平行光束として射出される。この際の射出角は、入射光折曲部２１側に戻されるようなものになっており、＋Ｚ軸に対して鈍角となる。
【００４２】
一方、図３（Ｂ）に示すように、最大反射角θ＋で導光部２２の第１及び第２の全反射面２２ａ，２２ｂで全反射される画像光ＧＬｂは、観察者の眼ＥＹに入射できる位置である画像取出部２３のうち最も入口側（−Ｚ側）の周辺部２３ｍに達し、周辺部２３ｍでの反射により、眼ＥＹの中心軸ＡＸに対して角度γ３で光射出面ＯＳから眼ＥＹに向けて平行光束として射出される。この際の射出角は、入射光折曲部２１側から離れるようなものになっており、＋Ｚ軸に対して鋭角となる。
【００４３】
以上のように、画像光ＧＬａは、画像取出部２３を複数回透過した後の残りの成分のうち周辺部２３ｈにおいて反射された成分が光射出面ＯＳから射出される。これに対して、画像光ＧＬｂは、画像取出部２３を複数回透過することなく、画像取出部２３の周辺部２３ｍにおいて反射された成分が光射出面ＯＳから射出される。従って、画像取出部２３において光の反射・透過量の精密な調整がなされている等の場合でない限り、画像取出部２３での画像光ＧＬａの損失量は、画像光ＧＬｂよりも多くなり、暗い光が眼ＥＹに向けて射出されることになる。つまり、映し出される虚像光は、入口側（−Ｚ側）から奥側（＋Ｚ側）に向かって通過回数に応じて相対的に暗くなっていき、輝度ムラ・映像ムラが形成される傾向にある。これに対して、本実施形態では、上記のような画像光の輝度ムラ・映像ムラを回避すべく、既述のように、画像光形成装置１０側において、位置に応じて照明光の光量調整がなされている。
【００４４】
なお、第１及び第２の全反射面２２ａ，２２ｂでの全反射による光の反射効率は非常に高いものであるため、上記のように画像光間で反射回数が異なっていても、これによって輝度ムラが生じることは殆どなく、視認上画像ムラ等の影響を感じることはない。
【００４５】
以下、図２（Ａ）等により、画像光形成装置１０による照明光の調整について具体的に説明する。図２（Ａ）及び２（Ｂ）を用いて説明したように、画像光形成装置１０のバックライト導光板１５ｂにおいて、多数の照明光反射面１５ｄは、基準方向即ちＺ方向について、＋Ｚ側に行くに従って間隔が狭くなるように配列されている。これにより、照明光ＰＬは、＋Ｚ側ほど光量又は輝度が多くなる状態で射出されるものとなっており、例えば照明光ＰＬ１は、照明光ＰＬ３等よりも輝度が大きくなる。また、これに伴い、液晶デバイス１１の射出面１１ａから射出される画像光も、＋Ｚ側ほど画素の相対的輝度が高くなる。ここで、図４に示すように、射出面１１ａから映像導光板２０に入射する画像光のうち、画像光形成装置１０の＋Ｚ側から射出される成分は、図３（Ａ）等にも示す画像光ＧＬａ側の成分となり、画像光形成装置１０の−Ｚ側から射出される成分は、図３（Ｂ）等にも示す画像光ＧＬｂ側の成分となる。つまり、比較的輝度の大きい照明光ＰＬ１によって形成される画像光ＧＬａの主成分は、入射光折曲部２１に対して比較的小さな反射角度で入射する結果、図３（Ａ）に示すように、最小反射角θ−で全反射される。逆に、比較的輝度の小さい照明光ＰＬ３によって形成される画像光ＧＬｂの主成分は、入射光折曲部２１に対して比較的大きな反射角度で入射する結果、図３（Ｂ）に示すように、最大反射角θ＋で全反射される。以上のように、画像取出部２３での通過回数の基準となる繰返し配列方向（Ｚ方向）と、画像光形成装置１０の光量・輝度の基準となる基準方向（同じくＺ方向）とが対応することを前提として、最小反射角θ−で導かれ画像取出部２３を複数回透過し比較的損失量が多くなりがちな画像光ＧＬａについては、対応する照明光ＰＬ１の輝度が比較的大きく設定される。一方、最大反射角θ＋で導かれ画像取出部２３を複数回透過することがなく比較的損失量の少ない画像光ＧＬｂについては、対応する照明光ＰＬ３の輝度が比較的小さく設定される。これにより、画像光ＧＬａと画像光ＧＬｂとは補完され、最終的に虚像光として取り出されるまでに光量についてバランスがとられ、結果として映像ムラ・輝度ムラの抑制されたものとなって観察者の眼ＥＹに入射する。
【００４６】
以上のように、本実施形態に係る虚像表示装置１００は、画像光形成装置１０の多数の照明光反射面１５ｄが、映像導光板２０の多数の画像光反射面２３ａの長手方向に垂直な方向（Ｚ方向）即ち繰返し配列方向に対応する方向であるバックライト導光板１５ｂの基準方向（同じくＺ方向）の位置に応じて、反射効率を変化させている。これにより、画像光形成装置１０において、映像導光板２０側で形成される画像光の輝度ムラ・映像ムラを補償するような照明光ＰＬの形成が可能となり、比較的簡易に画像光の輝度ムラ・映像ムラを抑制することができる。  
【００４７】
〔Ｃ．第１実施形態の変形例〕
図５（Ａ）及び５（Ｂ）は、本実施形態の変形例について説明するための模式的な図である。なお、本変形例では、多数の照明光反射面１５ｄを有するバックライト導光板１５ｂの構造以外については、上記と同様であり、図示及び説明を省略する。
【００４８】
図５（Ａ）は、本変形例の画像光形成装置１０の一部について示す図であり、図５（Ｂ）は、映像導光板２０の画像取出部２３上の領域を模式的に示す図である。ここで、図５（Ａ）のバックライト導光板１５ｂの領域ＤＤを構成する部分領域ＤＤ１〜ＤＤ３は、画像取出部２３上の領域ＰＰを構成する部分領域ＰＰ１〜ＰＰ３にそれぞれ対応するものである。領域ＰＰは、映像導光板２０をＺ方向に関して分割した部分領域ＰＰ１〜ＰＰ３からなり、各部分領域ＰＰ１〜ＰＰ３は、入射する画像光の通過回数に対応させた特性を有するものとなっている。つまり、図中−Ｚ側に位置する部分領域ＰＰ１は、映像導光板２０の画像取出部２３を通過する回数の少ない画像光が入射する領域であり、＋Ｚ側に位置する部分領域ＰＰ３は、映像導光板２０の画像取出部２３を通過する回数の多い画像光が入射する領域である。
【００４９】
本変形例では、照明光反射面１５ｄの間隔が、基準方向即ちＺ方向について区切られた各部分領域ＤＤ１〜ＤＤ３内で略一定であるが、部分領域ＤＤ１〜ＤＤ３間で互いに異なるものとなっている。つまり、例えば領域ＤＤ１内では、照明光反射面１５ｄが同一又は略同一の間隔であることにより、部分領域ＤＤ１からは、略均一化された状態の照明光ＰＬ１が射出される。同様に、領域ＤＤ２からも略均一化された状態の照明光ＰＬ２が射出され、部分領域ＤＤ３からも略均一化された状態の照明光ＰＬ３が射出される。但し、部分領域ＤＤ１〜ＤＤ３間では輝度が異なっている。具体的には、部分領域ＤＤ１から射出される照明光ＰＬ１の輝度が最も大きく、部分領域ＤＤ２から射出される照明光ＰＬ２の輝度が中間的な値であり、部分領域ＤＤ３から射出される照明光ＰＬ３の輝度が最も小さくなっている。この場合、各照明光ＰＬ１〜ＰＬ３の輝度の差は、各部分領域ＤＤ１〜ＤＤ３に対応する図５（Ｂ）の部分領域ＰＰ１〜ＰＰ３から取り出される画像光において反映されることになる。
【００５０】
以上のように、本変形例では、照明光の輝度が、画像取出部２３即ち多数の画像光反射面２３ａにおける画像光の通過回数に応じて、照明光ＰＬ１〜ＰＬ３の光量を基準方向即ちＺ方向に関して段階的に変化させている。この場合も、画像光形成装置１０において、映像導光板２０側で形成される画像光の輝度ムラ・映像ムラを補償するような照明光ＰＬの形成が可能となり、比較的簡易に画像光の輝度ムラ・映像ムラを抑制することができる。
【００５１】
また、上記では、説明の便宜上、照明光を３段階に変化させるものとして説明しているが、画像光の画像取出部２３において通過する回数と当該画像光に対応する照明光との関係から適宜領域ＤＤ、ＰＰの区間や区分数を調整することで、画像取出部２３での損失に対応する照明光の形成が可能となる。
【００５２】
尚、照明光ＰＬ１〜ＰＬ３の光量を基準方向即ちＺ方向に関して段階的に変化させるために、バックライト導光板１５ｂの厚さを変化させたり、照明光反射面１５ｄの角度、高さ等を変化させたり、側面ＳＦ１の導光部１５ｋの内側の粗さを変化させたり、バックライト導光板１５ｂのＳＦ１側に基準方向即ちＺ方向に反射率の異なる反射フィルム等を配置させる等の方法によっても照明光ＰＬ１〜ＰＬ３の光量の変更が可能である。
【００５３】
〔第２実施形態〕
以下、第１実施形態を変形した第２実施形態について説明する。なお、本実施形態に係る虚像表示装置は、第１実施形態の虚像表示装置１００の変形例であり、画像光形成装置以外の構造については、第１実施形態と同様であるので、画像光形成装置の一部についてのみ示し、他の構造については、説明及び図示を省略する。また、第１実施形態の虚像表示装置１００と同符号のものについては、特に説明しない限り同様の機能を有するものとする。
【００５４】
図６（Ａ）及び６（Ｂ）に示す本実施形態の画像光形成装置１１０は、第１実施形態の図２（Ａ）及び２（Ｂ）に示す画像光形成装置１０に対応する。
【００５５】
図示の画像光形成装置１１０は、照明部１１５と、減光フィルター１１６と、液晶デバイス１１とを有する。なお、画像光形成装置１１０は、この他、画像光形成装置１０と同様のコリメートレンズ１２（図１（Ａ）参照）を有する。画像光形成装置１１０では、減光フィルター１１６により照明部１１５を経た照明光の調整を行うことで、最終的に取り出される画像光の輝度ムラ・映像ムラを抑制している。
【００５６】
照明部１１５は、光源１５ａと、バックライト導光板１１５ｂとを備える。バックライト導光板１１５ｂは、アクリル樹脂等の透光性樹脂材料からなる平板状の部材であり、本体部であるバックライト導光部１１５ｋ上に設けられた照明光反射部１１５ｃにおいて、光取込面ＩＰから入射させた光を光射出面ＥＰに向けて反射させる。ここで、照明光反射部１１５ｃは、図２（Ａ）等に示す照明光反射部１５ｃと異なり、間隔の一様な多数の照明光反射面１１５ｄを有しており、光射出面ＥＰの領域によらず、全体に略均等な光量で照明光を射出させる。
【００５７】
バックライト導光板１１５ｂと液晶デバイス１１との間には、これらに対して平行に延びる減光フィルター１１６が配置されている。つまり、バックライト導光板１１５ｂの光射出面ＥＰから射出された照明光は、液晶デバイス１１に入射する前に、減光フィルター１１６を通過する。減光フィルター１１６は、可視波長域で減光を行うものであり、ここでは特に、光取込面ＩＰに垂直な方向即ち照明光反射面１１５ｄが配列される奥行きのＺ方向の位置に応じて、徐々に減光率が変化するものとなっている。従って、減光フィルター１１６を通過した照明光は、基準方向の位置に応じて光量又は輝度の異なる状態で射出され、液晶デバイス１１に入射する。
【００５８】
液晶デバイス１１に入射した照明光は、液晶デバイス１１において空間的に変調され、表示対象となるべき画像光となって射出される。以上により形成された画像光は、減光フィルター１１６によって生じた基準方向即ちＺ方向の位置に応じて光量の異なる状態を反映したものとなっており、映像導光板２０（図１（Ａ）等参照）を経た画像光は、映像ムラ・輝度ムラの抑制されたものとなって観察者の眼ＥＹにバランスのとれた虚像光として入射する。
【００５９】
図６（Ｃ）は、本実施形態の変形例について説明するための図である。図示の画像光形成装置２１０は、減光フィルター１１６が液晶デバイス１１の光射出側即ち光路下流側に位置している。この場合、液晶デバイス１１から射出される画像光が、減光フィルター１１６を通過することで基準方向即ちＺ方向の位置に応じて光量又は輝度の異なる状態となる。
【００６０】
図６（Ｄ）は、本実施形態の別の変形例について説明するための図である。図示の画像光形成装置３１０は、照明部３１５において、バックライト導光板３１５ｂの本体部であるバックライト導光部３１５ｋ上に、照明光反射部３１５ｃとして、基準方向の位置に応じて異なる間隔で多数の照明光反射面３１５ｄが形成されている。この場合、多数の照明光反射面３１５ｄと減光フィルター１１６とが協働して基準方向即ちＺ方向の位置に応じて光量又は輝度の異なる状態の照明光を形成する。
【００６１】
以上のように、本実施形態では、虚像表示装置を構成する画像光形成装置１１０，２１０，３１０が、減光フィルター１１６を有することにより、照明光又は画像光の反射効率を変化させている。これにより、画像光形成装置１１０，２１０，３１０において、映像導光板２０側で形成される画像光の輝度ムラ・映像ムラを補償するように画像光形成装置１１０，２１０，３１０側において照明光又は画像光の形成することが可能となり、比較的簡易に画像光の輝度ムラ・映像ムラを抑制することができる。
【００６２】
なお、上記では、減光フィルター１１６による減光率の分布が基準方向即ちＺ方向の位置に応じて徐々に変化するものであるとしているが、減光フィルター１１６による減光率の分布は、図５（Ａ）等を用いて説明したように段階的に変化するものであってもよい。具体的には、例えば、いくつかの互いに減光率の異なる一様な減光フィルターを複数用意し、これらを基準方向に適宜重ねて配列することで段階的な減光をする減光フィルター１１６を構成してもよい。
【００６３】
〔第３実施形態〕
以下、第１実施形態等を変形した第３実施形態について説明する。本実施形態に係る虚像表示装置は、第１実施形態の虚像表示装置１００等の変形例であり、画像光形成装置以外の構造については、第１実施形態等と同様であるので、画像光形成装置についてのみ示し、他の構造については、説明及び図示を省略する。また、第１実施形態の虚像表示装置１００と同符号のものについては、特に説明しない限り同様の機能を有するものとする。
【００６４】
図７に示す本実施形態の画像光形成装置４１０は、第１実施形態の図２（Ａ）に示す画像光形成装置１０に対応する。
【００６５】
図示のように、画像光形成装置４１０は、照明部４１５と、液晶デバイス１１とを有する。なお、画像光形成装置４１０は、この他、画像光形成装置１０と同様のコリメートレンズ１２（図１（Ａ）参照）を有する。
【００６６】
照明部４１５は、液晶デバイス１１に対向配置される矩形板状の発光素子であり、面光源として、複数の面光源部４１５ａを有する。画像光形成装置４１０では、この面光源部４１５ａの発光輝度の調整により画像光の輝度調整を行っている。
【００６７】
照明部４１５を構成する複数の面光源部４１５ａは、例えば有機ＥＬやＬＥＤに拡散板を付けて面光源化したもの等によって構成され、ＹＺ面に沿って延在する基板ＢＢ上にマトリクス状又はストライプ状に配置されることにより、液晶デバイス１１の面形状に合わせた２次元的な広がりを有する照明光を形成している。図７では、一例として、Ｚ方向について、５つの面光源部４１５ａが配列された状態を示している。この場合、各面光源部４１５ａで発生させる照明光輝度を調整することにより、Ｚ方向の位置に応じて異なる状態の照明光を射出させることができる。なお、照明部４１５と液晶デバイス１１との間に、これらに対して平行に延びる減光フィルターを追加的に配置してもよい。
【００６８】
以上のように、本実施形態では、虚像表示装置を構成する画像光形成装置４１０が、Ｚ方向即ち基準方向について複数の面光源部４１５ａを有することにより、照明光の反射効率を変化させている。これにより、画像光形成装置４１０において、映像導光板２０側に形成される画像光の輝度ムラ・映像ムラを補償するように照明光の形成が可能となり、比較的簡易に画像光の輝度ムラ・映像ムラを抑制することができる。なお、上記では、説明の便宜上、照明光を基準方向について５段階に変化させるものとして説明しているが、画像光の画像取出部２３において通過する回数と当該画像光に対応する照明光の種別との関係から適宜面光源部４１５ａの配列数を調整することで、画像取出部２３での損失に対応する照明光の形成が可能となる。
【００６９】
〔その他〕
以上実施形態に即して本発明を説明したが、本発明は、上記の実施形態に限られるものではなく、その要旨を逸脱しない範囲において種々の態様において実施することが可能であり、例えば次のような変形も可能である。
【００７０】
まず、上記第１実施形態では、多数の照明光反射面１５ｄの形状を同一として、その間隔を変えることで密度を変化させているが、密度の変化については、各照明光反射面１５ｄの断面形状や大きさ、或いは光反射率を変化させるものであってもよい。つまり、大きさや光反射率を変化させることでも、光の反射効率を調整し、画像光形成装置１０等の基準方向について異なる状態の光量又は輝度の照明光を形成することが可能である。
【００７１】
また、上記の説明では、多数の画像光反射面２３ａにおいて、画像光を複数回反射することにより、映像導光板２０の奥側ほど画像光の輝度が小さくなることに合わせて、この画像光の輝度ムラ・映像ムラを補償するために、照明光について基準方向即ちＺ方向について光量を奥側ほど輝度が小さくなるように調整しているが、輝度ムラ・映像ムラの要因がこの他にもある場合には、それについても加味して基準方向についての照明光の光量の調整を行ってもよい。例えば、多数の画像光反射面２３ａに代えて、所定の角度をなす２つの反射面を一組とする多数の反射ユニットを備え、当該２つの反射面での反射を利用して画像取出部での通過を１回のみとすることのできる映像導光板を備える虚像表示装置においても、上述したバックライト導光板１５ｂ、減光フィルター１１６、面光源部４１５ａ等と同様の輝度調整により、かかる映像導光板で生じる輝度ムラ・映像ムラを補償することが可能である。
【００７２】
上記の説明では、画像光形成装置１０等において、画像取出部２３の画像光反射面２３ａの繰返し配列方向に対応させるため、光源１５ａからの光ＳＬを−Ｚ方向から光取込面ＩＰに入射させているが、図８に示すように、＋Ｚ側に光取込面ＩＰを設け、光ＳＬを＋Ｚ方向から入射させることでも画像光反射面２３ａの繰返し配列方向に対応する照明光の形成が可能である。なお、この場合、光源１５ａからの光ＳＬの入射方向に合わせて照明光反射面１５ｄの反射面の傾きも図２（Ａ）に示す場合とは反対になる。また、画像光反射面２３ａの配列方向に対応して異なる光量の照明光を形成できれば、光源１５ａからの光ＳＬをＹ方向即ち縦方向から入射させてもよい。例えば、ＬＥＤなどの点光源を使用し、その間隔を変えることによって、光量分布を作り出すことができる。
【００７３】
上記の説明では、虚像表示装置１００は、右眼及び左眼の双方に対応して、一組ずつ画像光形成装置１０及び映像導光板２０設ける構成としているが、右眼又は左眼のいずれか一方に対してのみ画像光形成装置１０と映像導光板２０とを設け画像を片眼視する構成にしてもよい。
【００７４】
上記の説明では、シースルー型の虚像表示装置について説明しているが、シースルー型以外の虚像表示装置についても適用可能である。
【００７５】
上記の説明では、光入射面ＩＳと光射出面ＯＳとを同一の平面上に配置しているが、これに限らず、例えば、光入射面ＩＳを第１の全反射面２２ａと同一の平面上に配置し、光射出面ＯＳを第２の全反射面２２ｂと同一の平面上に配置する構成とすることもできる。
【００７６】
上記において、映像導光板２０の外縁の側面に黒色塗装やサンドブラスト加工を施してもよい。この処置は、映像光や外光が映像導光板２０の端面で反射され、迷光となることを防止すると共に、外光が侵入することを防止する為、非常に有効である。
【００７７】
上記の説明では、実施形態の虚像表示装置１００がヘッドマウントディスプレイであるとして具体的な説明を行ったが、実施形態の虚像表示装置１００は、ヘッドアップディスプレイに改変することもできる。
【００７８】
上記の説明では、画像光形成装置１０における基準方向は、画像光形成装置１０の光軸ＸＡの方向となっているが、必ずしも光軸ＸＡに一致するとは限らない。より一般には、基準方向は、既述のように、映像導光板２０での繰返し配列方向に対応して決まるものであり、画像取出部２３において画像光として取り出されるまでの損失量の大小に合わせて照明光の光量や輝度の分布が定まるように決定される。
【００７９】
上記の説明では、第１及び第２の全反射面２２ａ，２２ｂにおいて、表面上にミラーやハーフミラー等を施すことなく空気との界面により画像光を全反射させて導くものとしているが、本願発明における全反射については、第１及び第２の全反射面２２ａ，２２ｂ上の全体又は一部にミラーコートや、ハーフミラー膜が形成されてなされる反射も含むものとする。例えば、画像光の入射角度が全反射条件を満たした上で、全反射面２２ａ，２２ｂの全体又は一部にミラーコート等が施され、実質的に全ての画像光を反射する場合も含まれる。また、十分な明るさの画像光を得られるのであれば、多少透過性のあるミラーによって全反射面２２ａ，２２ｂの全体又は一部がコートされていてもよい。
【００８０】
また、上記では、図１（Ａ）等において、映像導光板２０の全体的な外観は、ＹＺ面に平行に延びる平板としているが、画像光を伝達するための伝達部である光入射面ＩＳから画像取出部２３までの間以外については、平板ではなく、厚みが異なっていたり、曲面になったりする形状とすることも可能性である。
【００８１】
また、上記では、光入射面ＩＳをＹＺ面に平行な平面上に目の左右側に位置するように形成しているが、画像光を映像導光板２０内に適切に導くことができれば、光入射面ＩＳの位置はこれに限らず、例えば映像導光板２０の上部側や下部側である上端面ＴＰや下端面ＢＰの一部等に設けることも可能である。
【符号の説明】
【００８２】
１０…画像光形成装置、  １５…照明部、  １５ａ…光源、  １５ｂ…バックライト導光板、  １５ｋ…バックライト導光部、  １５ｃ…照明光反射部、  １５ｄ…照明光反射面、  １１…液晶デバイス、  ２０…映像導光板、  ２０ａ…導光板本体部、  ２１…入射光折曲部、  ２２…導光部、  ２２ａ，２２ｂ…全反射面、  ２３…画像取出部、  ２３ａ…映像光反射面、  １００…虚像表示装置、  ＥＹ…眼、  ＰＬ，ＰＬ１，ＰＬ２，ＰＬ３…照明光、  ＧＬａ，ＧＬｂ…画像光
【図１】
0005545069.tif 000002
【図２】
0005545069.tif 000003
【図３】
0005545069.tif 000004
【図４】
0005545069.tif 000005
【図５】
0005545069.tif 000006
【図６】
0005545069.tif 000007
【図７】
0005545069.tif 000008
【図８】
0005545069.tif 000009